(57)【要約】【課題】装置コストや消費電力を低減する。【解決手段】光分岐挿入装置としてのノード１１ａ〜１１ｄは、光ファイバ１２，１３である光伝送路とトランスポンダ２５ａ〜２５ｎとの間に接続される各々複数の第１側ポート及び第２側ポートを有し、それらポート毎の光信号入出力の第１チャネル間隔を、トランスポンダ２５ａ〜２５ｎのポートにおける光信号入出力の第２チャネル間隔の複数倍とし、第１チャネルに１又は複数のトランスポンダ２５ａ〜２５ｎ又は光伝送路からの複数の異なる波長の光信号を通過可能としたｃＡＷＧ２４ａ，２４ｂを備える。ｃＡＷＧ２４ａ，２４ｂは、第１側ポートにトランスポンダ２５ａ〜２５ｎからの光信号を通過後、複数の第２側ポートを所定順序で巡回出力して光伝送路へ伝送する。光伝送路を伝送する光信号を第２側ポートに通過後、複数の第１側ポートを所定順序でトランスポンダ２５ａ〜２５ｎへ出力する。【選択図】図１
2020161913.tif 000002
【特許請求の範囲】
【請求項１】
通信ネットワークを構成する光伝送路に波長分割多重通信により伝送される光信号を、通信端末機と接続されたトランスポンダとの間で分岐又は挿入する光分岐挿入装置であって、
通信ネットワークを構成する光伝送路に波長分割多重通信により伝送される光信号を、通信端末機と接続されたトランスポンダとの間で分岐又は挿入する光分岐挿入装置であって、前記トランスポンダと前記光伝送路間に接続される各々複数の第１側ポート及び第２側ポートを有し、第１側ポート及び第２側ポートの個々の第１チャネル間隔を、前記トランスポンダに入出力される光信号の第２チャネル間隔の複数倍とし、第１チャネルに、１又は複数の前記トランスポンダ又は前記光伝送路からの複数の異なる波長の光信号を通過又は透過可能としたｃＡＷＧ（cyclic Arrayed Waveguide Gratings）を備え、
前記ｃＡＷＧは、前記第１側ポートの第１チャネルに、前記トランスポンダからの光信号を通過させ、この通過する光信号を、複数の第２側ポートを当該第１側ポート並びに当該トランスポンダの出力光信号の波長に応じて決まる巡回関係で出力して前記光伝送路へ伝送し、当該光伝送路を伝送する光信号を第２側ポートの第１チャネルに通過させ、この通過する光信号を複数の第１側ポートを当該第１側ポート並びに当該トランスポンダの出力光信号の波長に応じて決まる巡回関係で当該トランスポンダへ出力する
ことを特徴とする光分岐挿入装置。
【請求項２】
前記光伝送路が別経路の光伝送路を構成する際に、当該別経路の光伝送路と前記ｃＡＷＧとの間に、光信号を伝送又は遮断する状態となる光ＳＷ（Switch）部を備え、
前記光ＳＷ部は、前記トランスポンダの光信号であるトランスポンダ信号の波長が別の波長に変更された際に、この変更されたトランスポンダ信号を前記別経路の光伝送路へ伝送する
ことを特徴とする請求項１に記載の光分岐挿入装置。
【請求項３】
前記ｃＡＷＧ及び前記トランスポンダが各々複数存在する場合に、
前記光ＳＷ部は、異なるトランスポンダから送信され、異なるｃＡＷＧの第１チャネルを通過した同波長のトランスポンダ信号を、別の光伝送路へ伝送する
ことを特徴とする請求項２に記載の光分岐挿入装置。
【請求項４】
前記ｃＡＷＧと前記トランスポンダとの間に、当該ｃＡＷＧのポートと接続可能なポートと、複数の前記トランスポンダを接続可能なポートとを有する１×Ｎ光カプラを接続し、
前記ｃＡＷＧと前記１×Ｎ光カプラとの間に光アンプを接続する
ことを特徴とする請求項１〜３の何れか１項に記載の光分岐挿入装置。
【請求項５】
前記光ＳＷ部は、前記光伝送路に伝送される光信号の波長の合分波並びに方路切替を行うＷＳＳ（Wavelength Selective Switch）を備え、
前記ＷＳＳに、前記ｃＡＷＧをパラレルに接続した
ことを特徴とする請求項２又は３に記載の光分岐挿入装置。
【請求項６】
前記ｃＡＷＧと前記トランスポンダとの間に、
前記ｃＡＷＧと接続するポートと、複数の前記トランスポンダを接続可能なポートとを有する１×Ｎ光カプラとを接続して備え、
前記１×Ｎ光カプラのＮ個のポートに、複数ポートずつの送受信ポートを有するマルチキャリア光パス用のトランスポンダを接続し、前記ｃＡＷＧに、シングルキャリア光パス用のトランスポンダを接続した
ことを特徴とする請求項１〜３の何れか１項に記載の光分岐挿入装置。
【請求項７】
請求項１〜６の何れか１項に記載の光分岐挿入装置と、当該光分岐挿入装置に離間して接続され、当該光分岐挿入装置に光パス生成制御及び波長変更制御の指示を行う監視制御装置とを備え、
前記光分岐挿入装置は、前記指示された光パス生成制御及び波長変更制御を行い、当該光分岐挿入装置内において光パスの生成及び光信号の波長の変更を行う監視制御部を備える
ことを特徴とする光伝送システム。
【請求項８】
前記光分岐挿入装置は、光伝送路に接続されて光信号を分岐又は結合する光カプラと、この光カプラの入出力側に接続された光アンプとを備え、
前記監視制御部は、前記光アンプの入力パワー又は入力光信号の波長数が、前記監視制御装置から指示されるパス生成制御時の入力パワー又は入力光信号の波長数と所定値以上乖離する場合に、前記光カプラとの間で光信号を送受信するトランスポンダの出力を停止する制御を行う
ことを特徴とする請求項７に記載の光伝送システム。
【発明の詳細な説明】
【技術分野】
【０００１】
本発明は、通信ネットワークにおける光波長多重通信又は波長分割多重通信（ＷＤＭ：Wavelength Division Multiplexing）に使用され、光ファイバ中を伝送される光信号の分岐と挿入を行う光分岐挿入装置及び光分岐挿入装置を使用した光伝送システムに関する。
【背景技術】
【０００２】
通信ネットワークの接続形態は、Ｐ２Ｐ（Point to Point）接続形態、リング接続形態、マルチリング接続形態、メッシュ接続形態のように進化を遂げてきた。Ｐ２Ｐ接続形態は、通信データを終端して通信端末機に中継する光伝送装置としてのノードが、１対１で対向状態に光ファイバで接続される形態である。リング接続形態は、複数ノードが光ファイバでリング状に接続される形態である。マルチリング接続形態は、リング接続された個々のリングが、ノードを介して光ファイバで複数接続される形態であり、後述のメッシュ接続に包含される。メッシュ接続形態は、ノード同士が相互通信可能に網の目状に光ファイバで接続される形態である。
【０００３】
このようなネットワーク接続形態の進化の背景には、ノードとしての光分岐挿入装置（Optical Add/Drop Multiplexer：ＯＡＤＭ）の登場があり、経済的なフォトニックトランスポートネットワークの構築と、その運用の柔軟性とが進展を遂げている。
【０００４】
光分岐挿入装置には、後述の３つの第１機能、第２機能及び第３機能により高機能化されたＣＤＣ（Colorless,Directionless and Contentionless）−ＲＯＡＤＭ（Reconfigurable Optical Add/Drop Multiplexer）が存在する。このＣＤＣ−ＲＯＡＤＭによって、遠隔から光レイヤの再構成が可能となっている。ＲＯＡＤＭは、各ノードにおいて光信号の挿入／分岐（Ａｄｄ／Ｄｒｏｐ）を可能とする機能である。ＣＤＣは、多方路ＲＯＡＤＭにおいてＡｄｄ／Ｄｒｏｐされる光信号を、波長や方路によらず、信号衝突なしにトランスポンダ（光中継機）に接続する機能（ＣＤＣ機能）である。
【０００５】
第１機能としてのＣｏｌｏｒ−ｌｅｓｓ機能は、物理配線を変更することなく、トランスポンダからの光信号を任意の波長で同じ方路に出力可能とする機能である。
第２機能としてのＤｉｒｅｃｔｉｏｎ−ｌｅｓｓ機能は、物理配線を変更することなく、トランスポンダからの光信号を任意の方路に出力可能とする機能である。
第３機能としてのＣｏｎｔｅｎｔｉｏｎ−ｌｅｓｓ機能は、物理配線を変更することなく、既設パス（既設伝送路）と別方路宛であれば、異なるトランスポンダから同じ波長で出力可能とする機能である。
【０００６】
この種の光分岐挿入装置を使用した光伝送システムとして、例えば非特許文献１に記載の技術がある。
【先行技術文献】
【非特許文献】
【０００７】
【非特許文献１】坂巻陽平  他２名，“より柔軟な光ノードを実現する光スイッチ技術” ＮＴＴ技術ジャーナル２０１３．１１．
【発明の概要】
【発明が解決しようとする課題】
【０００８】
しかし、上述した光分岐挿入装置に用いられるＣＤＣ−ＲＯＡＤＭは、１つの送信元から複数の宛先へデータを送る際にスイッチングを行うマルチキャストスイッチやアンプといったアクディブデバイスを数多く使用している。
【０００９】
このような使用部品により高価となるＣＤＣ−ＲＯＡＤＭを、トラフィック量が少ないエリアに使用するとｂｉｔ単価が高くなる。また、ＣＤＣ−ＲＯＡＤＭでは、アンプを多く使用した場合、消費電力も増加する。このように、ＣＤＣ−ＲＯＡＤＭ等の光分岐挿入装置は、多数のアクティブデバイスやアンプを使用しており、ネットワーク運用の柔軟性を得る代わりに、装置コストや消費電力が増加するという問題があった。
【００１０】
本発明は、このような事情に鑑みてなされたものであり、装置コストや消費電力を低減できる光分岐挿入装置及び光分岐挿入装置を使用した光伝送システムを提供することを課題とする。
【課題を解決するための手段】
【００１１】
上記課題を解決するための手段として、請求項１に係る発明は、通信ネットワークを構成する光伝送路に波長分割多重通信により伝送される光信号を、通信端末機と接続されたトランスポンダとの間で分岐又は挿入する光分岐挿入装置であって、前記トランスポンダと前記光伝送路間に接続される各々複数の第１側ポート及び第２側ポートを有し、第１側ポート及び第２側ポートの個々の第１チャネル間隔を、前記トランスポンダに入出力される光信号の第２チャネル間隔の複数倍とし、第１チャネルに、１又は複数の前記トランスポンダ又は前記光伝送路からの複数の異なる波長の光信号を通過又は透過可能としたｃＡＷＧ（cyclic Arrayed Waveguide Gratings）を備え、前記ｃＡＷＧは、前記第１側ポートの第１チャネルに、前記トランスポンダからの光信号を通過させ、この通過する光信号を、複数の第２側ポートを当該第１側ポート並びに当該トランスポンダの出力光信号の波長に応じて決まる巡回関係で出力して前記光伝送路へ伝送し、当該光伝送路を伝送する光信号を第２側ポートの第１チャネルに通過させ、この通過する光信号を複数の第１側ポートを当該第１側ポート並びに当該トランスポンダの出力光信号の波長に応じて決まる巡回関係で当該トランスポンダへ出力することを特徴とする光分岐挿入装置である。
【００１２】
この構成によれば、ｃＡＷＧの第１側ポート及び第２側ポートのチャネルに、複数の異波長のトランスポンダ信号を通過できる。また、ｃＡＷＧは、第１側ポートの第１チャネルに、トランスポンダからの光信号を通過させ、この通過する光信号を、複数の第２側ポートを第１側ポート並びにトランスポンダの出力光信号の波長に応じて決まる巡回関係で出力して光伝送路へ伝送する。この逆方向に、光伝送路を伝送する光信号を第２側ポートの第１チャネルに通過させ、この通過する光信号を複数の第１側ポートを第１側ポート並びにトランスポンダの出力光信号の波長に応じて決まる巡回関係でトランスポンダへ出力できる。
【００１３】
このため、トランスポンダからのトランスポンダ信号の波長（例えば波長λ１）を他の波長λ４に変更しても、変更後の波長λ４のトランスポンダ信号は、変更前の波長λ１と同様に、ｃＡＷＧの第１側ポート及び第２側ポートを介して同一方路の光伝送路へ伝送できる。つまり、光分岐挿入装置とトランスポンダ装置間の物理配線を変更することなく、トランスポンダからの光信号であるトランスポンダ信号を任意の波長で同じ方路に出力できる。従って、本発明の光分岐挿入装置は、マルチキャストスイッチや光損失を補償するアンプを用いないので、装置コストや消費電力を低減できる。
【００１４】
請求項２に係る発明は、前記光伝送路が別経路の光伝送路を構成する際に、当該別経路の光伝送路と前記ｃＡＷＧとの間に、光信号を伝送又は遮断する状態となる光ＳＷ（Switch）部を備え、前記光ＳＷ部は、前記トランスポンダの光信号であるトランスポンダ信号の波長が別の波長に変更された際に、この変更されたトランスポンダ信号を前記別経路の光伝送路へ伝送することを特徴とする請求項１に記載の光分岐挿入装置である。
【００１５】
この構成によれば、光分岐挿入装置とトランスポンダ装置間の物理配線を変更することなく、トランスポンダからの光信号を任意の方路、即ち別方路でも出力できる。
【００１６】
請求項３に係る発明は、前記ｃＡＷＧ及び前記トランスポンダが各々複数存在する場合に、前記光ＳＷ部は、異なるトランスポンダから送信され、異なるｃＡＷＧの前記第１チャネルを通過した同波長のトランスポンダ信号を、別の光伝送路へ伝送することを特徴とする請求項２に記載の光分岐挿入装置である。
【００１７】
この構成によれば、光分岐挿入装置とトランスポンダ装置間の物理配線を変更することなく、既設パスと別方路宛であれば、異なるトランスポンダから同じ波長で出力できる。
【００１８】
請求項４に係る発明は、前記ｃＡＷＧと前記トランスポンダとの間に、当該ｃＡＷＧのポートと接続可能なポートと、複数の前記トランスポンダを接続可能なポートとを有する１×Ｎ光カプラを接続し、前記ｃＡＷＧと前記１×Ｎ光カプラとの間に光アンプを接続することを特徴とする請求項１〜３の何れか１項に記載の光分岐挿入装置である。
【００１９】
この構成によれば、１×Ｎ光カプラに、Ｎ数のトランスポンダを接続できるので、ｃＡＷＧに接続可能なトランスポンダ数を増加できる。この際、１×Ｎ光カプラによるＮ分岐での信号ロスを、光アンプでの信号増幅により解消できる。
【００２０】
請求項５に係る発明は、前記光ＳＷ部は、前記光伝送路に伝送される光信号の波長の合分波並びに方路切替を行うＷＳＳ（Wavelength Selective Switch）を備え、前記ＷＳＳに、前記ｃＡＷＧをパラレルに接続したことを特徴とする請求項２又は３に記載の光分岐挿入装置である。
【００２１】
この構成によれば、ＷＳＳにｃＡＷＧをパラレルに接続して増やせるので、増やしたｃＡＷＧに更にトランスポンダを接続できる。このため、接続可能なトランスポンダ数を増加できる。
【００２２】
請求項６に係る発明は、前記ｃＡＷＧと前記トランスポンダとの間に、前記ｃＡＷＧと接続するポートと、複数の前記トランスポンダを接続可能なポートとを有する１×Ｎ光カプラとを接続して備え、前記１×Ｎ光カプラのＮ個のポートに、複数ポートずつの送受信ポートを有するマルチキャリア光パス用のトランスポンダを接続し、前記光カプラ又は１×Ｎ光カプラに、シングルキャリア光パス用のトランスポンダを接続したことを特徴とする請求項１〜３の何れか１項に記載の光分岐挿入装置である。
【００２３】
この構成によれば、シングルキャリア光パスとマルチキャリア光パスとを混在させることができる。この際に、マルチキャリア光パス用のトランスポンダから、複数種類の波長の光信号を重畳したマルチキャリア光信号を送信すれば、同一ＡＷＧのポートに波長数の多い信号を入力できるので、１方路で大容量データ伝送が可能となる。また、１×Ｎ光カプラのＮ個のポートに接続されるマルチキャリア光パス用のトランスポンダから送信される光信号を、複数種類の波長の光信号に分け、この分けられた光信号を、別経路の光伝送路へ送信するようにしてもよい。この場合、１つのマルチキャリア光信号に重畳される光信号数は減るが、別経路の光伝送路で伝送するようにした場合、複数系統でのデータ伝送が可能となる。
【００２４】
請求項７に係る発明は、請求項１〜６の何れか１項に記載の光分岐挿入装置と、当該光分岐挿入装置に離間して接続され、当該光分岐挿入装置に光パス生成制御及び波長変更制御の指示を行う監視制御装置とを備え、前記光分岐挿入装置は、前記指示された光パス生成制御及び波長変更制御を行い、当該光分岐挿入装置内において光パスの生成及び光信号の波長の変更を行う監視制御部を備えることを特徴とする光伝送システムである。
【００２５】
この構成によれば、光分岐挿入装置とトランスポンダ装置間の物理配線を変更することなく、監視制御装置の遠隔制御によって、例えばトランスポンダから送信される光信号の波長を別の波長に変更できる。
【００２６】
請求項８に係る発明は、前記光分岐挿入装置は、光伝送路に接続されて光信号を分岐又は結合する光カプラと、この光カプラの入出力側に接続された光アンプとを備え、前記監視制御部は、前記光アンプの入力パワー又は入力光信号の波長数が、前記監視制御装置から指示されるパス生成制御時の入力パワー又は入力光信号の波長数と所定値以上乖離する場合に、前記光カプラとの間で光信号を送受信するトランスポンダの出力を停止する制御を行うことを特徴とする請求項７に記載の光伝送システムである。
【００２７】
この構成によれば、トランスポンダの出力波長が意図せぬ変化を行った際に、異なる方路に光信号が出力され、他の光信号の衝突やクロストークによるペナルティを引き起こすといったことを防止できる。
【発明の効果】
【００２８】
本発明によれば、装置コストや消費電力を低減する光分岐挿入装置及び光分岐挿入装置を使用した光伝送システムを提供することができる。
【図面の簡単な説明】
【００２９】
【図１】本発明の実施形態に係る光分岐挿入装置を使用した光伝送システムの構成を示すブロック図である。
【図２】ｃＡＷＧの機能（特性）の説明図である。
【図３】ｃＡＷＧのポートのチャネル間隔に対応した波長の波形と、トランスポンダにおけるポートのチャネル間隔に対応した波長の波形を示す図である。
【図４】図２に示すｃＡＷＧの３つの出力ポートから出力される光信号の波長を示す図である。
【図５】本実施形態の光伝送システムにおける監視制御装置の構成を示すブロック図である。
【図６】本実施形態の光伝送システムにおける各ノード接続間のリンク番号及び各波長の使用状態を示すブロック図である。
【図７】本実施形態の光伝送システムにおける監視制御装置のＤＢに記憶された波長利用管理テーブルのテーブル構成を示す図である。
【図８】本実施形態の光伝送システムにおける監視制御装置の他の構成を示すブロック図である。
【図９】本実施形態の光伝送システムにおける光ＳＷ部及びＡｄｄ／Ｄｒｏｐ部の具体的な構成を示すブロック図である。
【図１０】本実施形態の光伝送システムにおける光ＳＷ部及びＡｄｄ／Ｄｒｏｐ部の他の具体的な構成を示すブロック図である。
【図１１】本実施形態の光伝送システムのＡｄｄ／Ｄｒｏｐ部におけるｃＡＷＧや光カプラを含むＡｄｄ部又はＤｒｏｐ部の第１のポート数拡張構成を示すブロック図である。
【図１２】本実施形態の光伝送システムのＡｄｄ／Ｄｒｏｐ部におけるｃＡＷＧによるＡｄｄ部又はＤｒｏｐ部の第２のポート数拡張構成を示すブロック図である。
【図１３】本実施形態の光伝送システムのＡｄｄ／Ｄｒｏｐ部において既存接続の１×ＮのＡｄｄ部のポート入出力用信号波長（基準波長）と、パラレルに接続された追加接続の１×ＮのＡｄｄ部のポート入出力用信号波長（対象波長）との関係を示す図である。
【図１４】本実施形態の光伝送システムにおけるシングルキャリア光パスとマルチキャリア光パスの混在構成を示すブロック図である。
【図１５】マルチキャリア光パス用のトランスポンダから出力されるマルチキャリア光信号の波長を示す図である。
【図１６】本実施形態の光伝送システムにおけるガード機能及び監視機能の構成を示すブロック図である。
【発明を実施するための形態】
【００３０】
以下、本発明の実施形態を、図面を参照して説明する。但し、本明細書の全図において機能が対応する構成部分には同一符号を付し、その説明を適宜省略する。
＜実施形態の構成＞
図１は、本発明の実施形態に係る光分岐挿入装置を使用した光伝送システムの構成を示すブロック図である。
【００３１】
図１に示す光伝送システム１０は、光分岐挿入装置としての各ノード１１ａ，１１ｂ，１１ｃ，１１ｄが、２本の光伝送路である光ファイバ１２，１３でリング状に接続されて構成されている。各光ファイバ１２，１３は、相反方向又は同一方向において、現用系である例えば右回り方向（矢印Ｙ１方向）と、予備系である例えば左回り方向（Ｙ２方向）にデータを伝送可能となっている。
【００３２】
各ノード１１ａ〜１１ｄは同一構成となっており、ノード１１ａに代表して示すように、監視制御部２１と、光アンプ２２ａ，２２ｂと、光ＳＷ（Switch）部２３と、Ａｄｄ／Ｄｒｏｐ（挿入／分岐）部２４と、複数のトランスポンダ２５ａ，２５ｂ，…，２５ｎとを備えて構成されている。監視制御部２１には、各ノード１１ａ〜１１ｄを監視制御する外部の監視制御装置１５が接続されている。各トランスポンダ２５ａ，２５ｂ，…，２５ｎには、外部のパーソナルコンピュータ等の通信端末機３１ａ，３１ｂ，…，３１ｎが接続されている。
【００３３】
但し、図１には、１つのトランスポンダ（例えばトランスポンダ２５ａ）に、１つの通信端末機３１ａが接続された様態を示しているが、１つのトランスポンダ２５ａに、複数の通信端末機３１ａが接続されていてもよい。
【００３４】
Ａｄｄ／Ｄｒｏｐ部２４は、複数（２つ）のｃＡＷＧ（cyclic Arrayed Waveguide Gratings：周回性アレイ導波路回折格子）２４ａ，２４ｂを備えて構成されている。ｃＡＷＧ２４ａ，２４ｂは、入出力側ポートの構成がＫ入出力×Ｎ入出力（Ｋ×Ｎと表現）となっており、Ｋ入出力側がＫ個のポートｐ０１，…，ｐ０ｋを備え、Ｎ入出力側がＮ個のポートｐ１，ｐ２，ｐ３，ｐ４，…，ｐｎを備える。なお、Ｎ入出力側のポートｐ１〜ｐｎを第１側ポートｐ１〜ｐｎとも称し、Ｋ入出力側のポートｐ０１〜ｐ０ｋを第２側ポートｐ０１〜ｐ０ｋとも称す。
【００３５】
図１の例では、ｃＡＷＧ２４ａの第２側ポートｐ０１，ｐ０ｋが光ＳＷ部２３を介して光ファイバ１２，１３に接続され、第１側ポートｐ２が、トランスポンダ２５ｂのポートに接続されている。また、ｃＡＷＧ２４ｂの第２側ポートｐ０１，ｐ０ｋが光ＳＷ部２３を介して光ファイバ１３，１２に接続され、第１側ポートｐ３が、トランスポンダ２５ｂの他のポートに接続されている。
【００３６】
ｃＡＷＧ２４ａ，ｃＡＷＧ２４ｂの機能（特性）について、図２を参照して説明する。図２には説明対象としてｃＡＷＧ２４ａを代表して示し、第２側ポートｐ０１〜ｐ０３が３ポート、第１側ポートｐ１〜ｐ３が３ポートであるとする。第１側ポートｐ１〜ｐ３がトランスポンダ２５ａ〜２５ｎの何れか３つのトランスポンダに接続され、第２側ポートｐ０１〜ｐ０３が光ＳＷ部２３（図１）を介して何れかの光ファイバ１２，１３に接続されているとする。
【００３７】
ｃＡＷＧ２４ａは、矢印Ｙ１１で示す横方向において、第１側ポートｐ１に、周波数が異なる各波長λａ１,λａ２，λａ３の帯域が割り当てられている。一方、矢印Ｙ１２で示す縦方向において、第２側ポートｐ０１に波長λａ１の帯域が割り当てられ、第２側ポートｐ０２に波長λａ２の帯域が割り当てられ、第３側ポートｐ０３に波長λａ３の帯域が割り当てられている。
【００３８】
同様に、第１側ポートｐ２に、帯域が異なる各波長λｂ１,λｂ２，λｂ３の帯域が割り当てられている。第２側ポートｐ０１に波長λｂ３の帯域が割り当てられ、第２側ポートｐ０２に波長λｂ１の帯域、第３側ポートｐ０３に波長λｂ２の帯域が割り当てられている。
【００３９】
同様に、第１側ポートｐ３に、帯域が異なる各波長λｃ１,λｃ２，λｃ３の帯域が割り当てられている。第２側ポートｐ０１に波長λｃ２の帯域が割り当てられ、第２側ポートｐ０２に波長λｃ３の帯域、第３側ポートｐ０３に波長λｃ１の帯域が割り当てられている。
【００４０】
ｃＡＷＧ２４ａの第１側ポートｐ１〜ｐ３及び第２側ポートｐ０１〜ｐ０３毎のＡＷＧの透過帯域は、図３に示すように、３つの波長（ｃＡＷＧ波長ともいう）λａ１,λａ２，λａ３のｆ１〜ｆ９の帯域幅と、ｆ９〜ｆ１７の帯域幅と、ｆ１７〜ｆ２５の帯域幅とされている。１つの波長λｃ１の帯域幅は、トランスポンダ２５ａ〜２５ｎ毎のポートにおける光信号入出力のチャネル間隔に対応する帯域幅のｍ倍（複数倍又は逓倍）とされている。なお、トランスポンダ２５ａ〜２５ｎに入出力される光信号を、トランスポンダ信号とも称す。また、ｃＡＷＧ２４ａのチャネル間隔は、請求項記載の第１チャネル間隔を構成する。トランスポンダのチャネル間隔は、請求項記載の第２チャネル間隔を構成する。
【００４１】
ｃＡＷＧ波長λａ１〜λａ３毎の帯域幅（言い換えれば、フィルタの通過帯域）は、ｃＡＷＧ波長λａ３の波形に代表して示すように、トランスポンダ波長λ８の帯域幅ｊＧＨｚの例えば４倍の４×ｊＧＨｚとなっている。
【００４２】
ｃＡＷＧ波長λａ１の帯域幅には、例えば、３つの異なる波長λ１〜λ３のトランスポンダ信号の帯域幅が入り、ｃＡＷＧ波長λａ２の帯域幅には、３つの異なる波長λ４〜λ６のトランスポンダ信号の帯域幅が入り、ｃＡＷＧ波長λａ３の帯域幅には、３つの異なる波長λ７〜λ９のトランスポンダ信号の帯域幅が入る。
【００４３】
このようなｃＡＷＧ波長λａ１〜λａ３のチャネル間隔は、波長λａ１の中心周波数ｆ５と波長λａ２の中心周波数ｆ１３との間に代表して示す４×ｊＧＨｚである。この４×ｊＧＨｚは、トランスポンダ波長λ２の中心周波数ｆ５と、トランスポンダ波長λ３の中心周波数ｆ７との間のチャネル間隔ｊＧＨｚの４倍となっている。
【００４４】
ｃＡＷＧ２４ａは、第１側ポートｐ１から入力された３つの波長λａ１〜λａ３の帯域幅を通過（又は透過）したトランスポンダ信号を、規則的に周回性を持って第２側ポートｐ０１，ｐ０２，ｐ０３から出力する機能を有する。他のポートにおいても同様である。
【００４５】
この逆に、ｃＡＷＧ２４ａは、第２側ポートｐ０１から入力された３つの波長λａ１，λｂ３，λｃ２の各帯域幅を通過した光信号を、規則的に周回性を持って、第１側ポートｐ１の波長λａ１の帯域を通って出力し、第１側ポートｐ２の波長λｂ３の帯域を通って出力し、第１側ポートｐ３の波長λｃ２の帯域を通って出力する機能を有する。他のポートにおいても同様である。
【００４６】
次に、図２に示したｃＡＷＧ２４ａの第２側ポートｐ０１〜ｐ０３から出力されるｃＡＷＧ波長の帯域幅を図４に示し、その説明を行う。
【００４７】
但し、図２に示す第１側ポートｐ１に入力されるｃＡＷＧ波長λａ１〜λａ３の各帯域幅を通過可能なトランスポンダ波長は、図３に示したλ１〜λ９である。図２の第１側ポートｐ２のｃＡＷＧ波長λｂ１〜λｂ３の各帯域幅を通過可能なトランスポンダ波長はλ１１，λ１２，λ１３と、λ１４，λ１５，λ１６と、λ１７，λ１８，λ１９であるとする。第１側ポートｐ３のｃＡＷＧ波長λｃ１〜λｃ３の各帯域幅を通過可能なトランスポンダ波長はλ２１，λ２２，λ２３と、λ２４，λ２５，λ２６と、λ２７，λ２８，λ２９であるとする。
【００４８】
図４において、ｃＡＷＧ２４ａの第２側ポートｐ０１のｃＡＷＧ波長の各帯域幅は、周波数ｆ軸上にλａ１，λｃ２，λｂ３の順に次の通り配置される。即ち、トランスポンダ波長λ１〜λ３が通過可能な波長λａ１は周波数ｆ１〜ｆ９間の帯域に配置される。トランスポンダ波長λ２４〜λ２６が通過可能な波長λｃ２は周波数ｆ９〜ｆ１７間の帯域に配置される。トランスポンダ波長λ１７〜λ１９が通過可能な波長λｂ３は周波数ｆ１７〜ｆ２５間の帯域に配置される。
【００４９】
次に、ｃＡＷＧ２４ａの第２側ポートｐ０２のｃＡＷＧ波長の各帯域幅は、周波数ｆ軸上にλｂ１，λａ２，λｃ３の順に次の通り配置される。即ち、トランスポンダ波長λ１１〜λ１３が通過可能な波長λｂ１は周波数ｆ１〜ｆ９間の帯域に配置される。トランスポンダ波長λ４〜λ６が通過可能な波長λａ２は周波数ｆ９〜ｆ１７間の帯域に配置される。トランスポンダ波長λ２７〜λ２９が通過可能な波長λｃ３は周波数ｆ１７〜ｆ２５間の帯域に配置される。
【００５０】
次に、ｃＡＷＧ２４ａの第２側ポートｐ０３のｃＡＷＧ波長の各帯域幅は、周波数ｆ軸上にλｃ１，λｂ２，λａ３の順に次の通り配置される。即ち、トランスポンダ波長λ２１〜λ２３が通過可能な波長λｃ１は周波数ｆ１〜ｆ９間の帯域に配置される。トランスポンダ波長λ１４〜λ１６が通過可能な波長λｂ２は周波数ｆ９〜ｆ１７間の帯域に配置される。トランスポンダ波長λ７〜λ９が通過可能な波長λａ３は周波数ｆ１７〜ｆ２５間の帯域に配置される。
【００５１】
このようなトランスポンダ２５ａ〜２５ｎ（図１）から送信される光信号の波長λ１〜λ２９を変更することにより、波長が衝突すること無く送信方路を変更可能となっている。トランスポンダ波長λ１〜λ２９の変更は、ｃＡＷＧ２４ａの第１側ポートｐ１〜ｐ３にトランスポンダ２５ａ〜２５ｎを接続したままの状態で、監視制御部２１の波長変更制御により例えば波長λ１を波長λ２に変更できる。この波長変更制御の指示は、監視制御装置１５によって行われる。
【００５２】
次に、監視制御装置１５について図５を参照して説明する。図５には各ノード１１ａ〜１１ｄ（図１）を代表してノード１１ａを示す。
但し、監視制御装置１５は、ネットワークを構成するノード１１ａ〜１１ｄ等の各機器（エレメント）を管理するＥＭＳ（Element Management System：エレメント管理システム）等により構成される。このＥＭＳの場合、監視制御装置１５の上位に接続された上位装置１６は、ネットワークの管理を行うＮＭＳ（Network Management System：ネットワーク管理システム）となる。このＮＭＳは、ネットワークを構成する機材やその設定に関する情報を収集及び管理し、ネットワーク上を流れるデータ状況や各機器の稼働状況等を監視して記録し、異常やその予兆が検知された際に管理者に通知する処理を行う。
【００５３】
監視制御装置１５は、ノード１１ａに対して遠隔等に離間して配置されており、ノード１１ａの監視制御部２１に光パス生成制御や波長変更制御等の指示を行う。この監視制御装置１５は、ＮＢＩ（North-bound interface）１５ａと、ＳＢＩ（South-bound interface）１５ｂと、パス計算部１５ｃと、ＤＢ（Data Base）１５ｄとを備えて構成されている。ＮＢＩ１５ａは、上位装置１６とのインタフェースである。ＳＢＩ１５ｂは、下位装置（ここではノード１１ａ）とのインタフェースである。
【００５４】
ＤＢ１５ｄは、波長利用管理テーブル１５ｄ１と、接続状況管理テーブル１５ｄ２と、使用可能波長管理テーブル１５ｄ３とを記憶する。これらを管理テーブル１５ｄ１，１５ｄ２，１５ｄ３とも称す。
【００５５】
波長利用管理テーブル１５ｄ１は、光ファイバ１２，１３によるリンク毎の波長利用状況を、次のように管理している。例えば、図６に示すように、各ノード１１ａ〜１１ｄのリンク番号が＃１，＃２，＃３，＃４であるとする。この場合に、波長λ１の光信号が、ノード１１ａからリンク＃１を経由してノード１１ｂを抜けるように伝送されている。更に、波長λ３の光信号が、ノード１１ａからリンク＃４及びノード１１ｄを経由し、更にリンク＃３を経由してノード１１ｃを抜けるように伝送されていると仮定する。
【００５６】
この場合のリンク＃１〜＃４毎の波長利用状況を管理する管理テーブル１５ｄ１を図７に示す。この管理テーブル１５ｄ１は、行列構成であって、列欄にリンク番号＃１，＃２，＃３，＃４を記載し、行欄に波長λ１，λ２,λ３，λ４，…を記載してある。図６に示したリンク毎の波長利用状況を基にすると、管理テーブル１５ｄ１において、波長λ１は、リンク番号＃１で「使用中」であり、他のリンク番号＃２〜＃４で「空（アキ）」であることが記載されている。波長λ２は、全てのリンク番号＃１〜＃４で「空」であることが記載されている。波長λ３は、リンク番号＃１，＃２で「空」であり、リンク番号＃３，＃４で「使用中」であることが記載されている。波長λ４は、全てのリンク番号＃１〜＃４で「空」であることが記載されている。このように、管理テーブル１５ｄ１に、リンク＃１〜＃４毎の波長利用状況が管理されている。
【００５７】
図５に戻って、接続状況管理テーブル１５ｄ２は、ノード１１ａ〜１１ｄ（図１）毎のＡｄｄ／Ｄｒｏｐ部２４及びトランスポンダ２５ａ〜２５ｎの接続状況を管理している。使用可能波長管理テーブル１５ｄ３は、ノード１１ａ〜１１ｄ内の各トランスポンダ２５ａ〜２５ｎの方路毎に使用可能な波長を管理している。
【００５８】
パス計算部１５ｃは、上位装置１６からＮＢＩ１５ａを介して光パス生成制御や波長変更制御等の要求が行われた際に後述の計算を行う。但し、その要求は、管理者等の人手によっても行われる。
【００５９】
即ち、パス計算部１５ｃは、ＤＢ１５ｄに記憶された管理テーブル１５ｄ１〜１５ｄ３から、光ファイバ１２，１３によるリンク毎の空き波長数、トランスポンダ２５ａ〜２５ｎ（図１）毎の方路や使用可能波長数を読み込み、この読み込んだ情報を基に、空き状態の光経路（光ファイバ１２，１３）及び波長を使用した光パスを割り当てる計算を行う。
【００６０】
また、パス計算部１５ｃは、計算結果に応じて、トランスポンダ２５ａ〜２５ｎに対して送信波長を指示する等のノード１１ａ〜１１ｄの方路や使用波長の設定指示を、ＳＢＩ１５ｂを介してノード１１ａ〜１１ｄの監視制御部２１に行う。
【００６１】
監視制御部２１は、その設定指示に応じた制御により、トランスポンダ２５ａ〜２５ｎの方路及び使用可能な波長を設定後に、監視制御装置１５へ設定変更完了通知を行う。この通知内容は、管理テーブル１５ｄ１〜１５ｄ３に記憶される。
【００６２】
この構成の監視制御装置１５は、低コストにＣＤＣ機能を実現可能な一方、トランスポンダ２５ａ〜２５ｎ毎に接続されるｃＡＷＧ２４ａ，２４ｂの特性及び接続ポートによって、トランスポンダ出力方路毎に選択できる波長に制約を生じさせる。
【００６３】
つまり、各ノード１１ａ〜１１ｄにおけるトランスポンダ２５ａ〜２５ｎの接続状況や光パス収容状況を十分に考慮せずに、例えば波長番号の若番から優先して光パスを順次設定する等の簡易な収容設計を行った場合、収容可能な光パス数が低下してしまう。また、人手で様々な要因を加味して光パス収容設計を行うと、設計工数が膨大となってしまう欠点がある。
【００６４】
そこで、それらの欠点を回避するために、本実施形態の監視制御装置１５では、空き波長リソース及び各ノード１１ａ〜１１ｄ間で使用可能な波長を管理し、光パスの生成及び変更要求に対して使用波長を推奨又は自動設定が可能とした。
【００６５】
この他、監視制御装置１５は、図８に示すように、ＤＢ１５ｄ内にノード構成管理テーブル１５ｄ４を更に備えてもよい。このノード構成管理テーブル１５ｄ４は、ノード１１ａ〜１１ｄが、ＣＤＣ機能無しのノードであるか、既存ＣＤＣ機能のノードであるか、本発明のＡｄｄ／Ｄｒｏｐ部２４を含むノードであるか、といったノード種別を管理する。
【００６６】
この管理に応じて、光伝送システム１０において、ノード種別を考慮した光パス収容設計を行うことで、ノード１１ａ〜１１ｄ（図１）にて既存ＲＯＡＤＭや既存ＣＤＣ−ＲＯＡＤＭが混在したネットワークが実現可能となる。つまり、物理的なトポロジやトラヒックの状況に応じて、柔軟にネットワークを構築可能とできる。
【００６７】
＜光ＳＷ部及びＡｄｄ／Ｄｒｏｐ部の具体構成例＞
図９は、本実施形態の光伝送システム１０における光ＳＷ部２３及びＡｄｄ／Ｄｒｏｐ部２４の具体的な構成を示すブロック図である。
【００６８】
光ＳＷ部２３は、一方の光ファイバ１３に介挿接続された光カプラ２３ａと、ＷＳＳ（Wavelength Selective Switch：波長選択スイッチ）２３ｂとを備え、他方の光ファイバ１２に介挿接続された光カプラ２３ｄと、ＷＳＳ２３ｃとを備えて構成されている。
【００６９】
ＷＳＳ２３ｂ，２３ｃは、光ファイバ１２，１３に伝送される波長分割多重されたＷＤＭ信号を波長毎に異なるポートに接続する波長合分波機能に加え、監視制御装置１５の遠隔制御により、波長とポートとの組合せを変更可能な光スイッチである。また、ＷＳＳ２３ｂ，２３ｃは、波長毎に透過光パワーレベルを調整するアッテネーション機能を有する。
【００７０】
このようなＷＳＳ２３ｂ，２３ｃを用いることで、送受信波長をλ１からλ２等に変更する際に現地ノードでの配線切替が必要なく、遠隔操作による迅速なパス変更が可能となっている。この処理機能は、ノード内部における信号経路が光信号の波長（＝色）による制約を受けないことから、前述した第１機能としてのＣｏｌｏｒ−ｌｅｓｓ機能を実現している。
【００７１】
Ａｄｄ／Ｄｒｏｐ部２４は、Ａｄｄ（挿入）機能（Ａｄｄ部）として用いた現用系のｃＡＷＧ２４ｃ及び予備系のｃＡＷＧ２４ｅと、Ｄｒｏｐ（分岐）機能（Ｄｒｏｐ部）として用いた現用系のｃＡＷＧ２４ｄ及び予備系のｃＡＷＧ２４ｆとを備えて構成されている。
【００７２】
８×８のｃＡＷＧ２４ｃ，２４ｅ及びｃＡＷＧ２４ｄ，２４ｆは、第２側ポートｐ０１〜ｐ０４及びｐ０５〜ｐ０８と、第１側ポートｐ１〜ｐ８とを備える。第１側ポートｐ１〜ｐ８毎のｃＡＷＧ波長の帯域幅には、波長λ１〜λ２９（図４参照）のトランスポンダ信号が通過可能とする。
【００７３】
１つのｃＡＷＧ波長の帯域幅は４００ＧＨｚであり、入出力側各々の８つのポートｐ０１〜ｐ０８とポートｐ１〜ｐ８との透過帯域のチャネル間隔も４００ＧＨｚであるとする。１つのトランスポンダ信号の帯域幅は５０ＧＨｚであり、トランスポンダ信号のチャネル間隔も５０ＧＨｚであるとする。
【００７４】
現用系のｃＡＷＧ２４ｃは、第２側ポートｐ０１〜ｐ０４が光ファイバ１２側のＷＳＳ２３ｃのポートに接続され、第２側ポートｐ０５〜ｐ０８が光ファイバ１３側のＷＳＳ２３ｂのポートに接続されている。ｃＡＷＧ２４ｃの第１側ポートｐ１がトランスポンダ２５ａの送信側ポートに接続され、第１側ポートｐ２がトランスポンダ２５ｂの送信側ポートに接続されている。
【００７５】
現用系のｃＡＷＧ２４ｄは、第２側ポートｐ０１〜ｐ０４が光ファイバ１３側の光カプラ２３ａに接続され、第２側ポートｐ０５〜ｐ０８が光ファイバ１２側の光カプラ２３ｄに接続されている。ｃＡＷＧ２４ｄの第１側ポートｐ１がトランスポンダ２５ａの受信側ポートに接続され、第１側ポートｐ２がトランスポンダ２５ｂの受信側ポートに接続されている。
【００７６】
予備系のｃＡＷＧ２４ｅは、第２側ポートｐ０１〜ｐ０４が光ファイバ１２側のＷＳＳ２３ｃのポートに接続され、第２側ポートｐ０５〜ｐ０８が光ファイバ１３側のＷＳＳ２３ｂのポートに接続されている。ｃＡＷＧ２４ｅの第１側ポートｐ１がトランスポンダ２５ｃの送信側ポートに接続され、第１側ポートｐ２がトランスポンダ２５ｄの送信側ポートに接続されている。
【００７７】
予備系のｃＡＷＧ２４ｆは、第２側ポートｐ０１〜ｐ０４が光ファイバ１３側の光カプラ２３ａに接続され、第２側ポートｐ０５〜ｐ０８が光ファイバ１２側の光カプラ２３ｄに接続されている。ｃＡＷＧ２４ｆの第１側ポートｐ１がトランスポンダ２５ｃの受信側ポートに接続され、第１側ポートｐ２がトランスポンダ２５ｄの受信側ポートに接続されている。
【００７８】
このような構成において、監視制御装置１５の遠隔からのＷＳＳ２３ａ，２３ｂの制御により、Ａｄｄ／Ｄｒｏｐ部２４を介したトランスポンダ２５ａ〜２５ｄと光ファイバ１２，１３間で、任意波長の光信号を、次のように伝送又は遮断できる。この際のトランスポンダ２５ａ〜２５ｄの波長変更制御も監視制御装置１５から遠隔制御で行われる。但し、本説明は現用系に対して行う。
【００７９】
即ち、トランスポンダ２５ａから矢印Ｙ１ａで示す方向に例えば波長λ１の光信号（トランスポンダ信号）が出力されたとする。この波長λ１の光信号は、ｃＡＷＧ２４ｃのポートｐ１へ入力され、ポートｐ０１から光ファイバ１２側のＷＳＳ２３ｃへ出力される。ＷＳＳ２３ｃが波長λ１を伝送状態に制御されていれば、ＷＳＳ２３ｃは、波長λ１の光信号を、ファイバ１２へ矢印Ｙ１で示す方向へ伝送する。一方、ＷＳＳ２３ｃが波長λ１を遮断状態に制御されていれば、ＷＳＳ２３ｃは、波長λ１の光信号を遮断する。
【００８０】
このＷＳＳ２３ｃの伝送又は遮断の制御は、光ファイバ１３側のＷＳＳ２３ｂにおいても同様に行われる。即ち、トランスポンダ２５ｂから送信された矢印Ｙ１ｂで示す例えば波長λ４の光信号が、ＷＳＳ２３ｂで光ファイバ１３へ伝送又は遮断される。
【００８１】
また、光ファイバ１３側の光カプラ２３ａは、光ファイバ１３で伝送されて来た例えば波長λ３の光信号を分岐する。この分岐された波長λ３の光信号は、ｃＡＷＧ２４ｄのポートｐ０１から入力され、ポートｐ１から矢印Ｙ１ｃで示すように、トランスポンダ２５ａに入力される。一方、波長λ３の光信号がｃＡＷＧ２４ｄのポートｐ２から出力された場合、矢印Ｙ１ｄで示すように、トランスポンダ２５ｂに入力される。
【００８２】
同様に、光ファイバ１２側の光カプラ２３ｄは、光ファイバ１２で伝送されて来た例えば波長λ４の光信号を分岐する。この分岐された波長λ４の光信号は、ｃＡＷＧ２４ｄのポートｐ０１へ入力され、ポートｐ１から矢印Ｙ１ｃで示すように、トランスポンダ２５ａに入力される。一方、波長λ４の光信号がｃＡＷＧ２４ｄのポートｐ２から出力されたとすると、矢印Ｙ１ｄで示すように、トランスポンダ２５ｄに入力される。
【００８３】
このような光信号の伝送において、監視制御装置１５からの波長変更制御指示に応じて監視制御部２１が、ノード１１ａ〜１１ｄに対して次のように波長変更制御を行う。例えば、トランスポンダ２５ａから矢印Ｙ１ａで示すように、ｃＡＷＧ２４ｃのポートｐ１へ波長λ１の光信号が送信されているとする。この場合に、トランスポンダ２５ａで光信号の波長λ１を波長λ４に変え、波長λ１を伝送する状態のＷＳＳ２３ｃを遠隔制御により波長λ４を伝送する状態とすれば、波長変更後の波長λ４の光信号は、変更前の波長λ１の光信号と同一方路（矢印Ｙ１）へ伝送できる。
【００８４】
ここで、ｃＡＷＧであるｃＡＷＧ２４ｃでは、各ポートｐ１〜ｐ８の透過波長の帯域幅を、前述したように任意の例えば波長λ１〜λ２９（図４参照）のトランスポンダ信号が通過可能である。このため、上述したようにトランスポンダ２５ａからの光信号の波長λ１を波長λ４に変更しても、変更後の波長λ４の光信号は、変更前の波長λ１と同様に、ｃＡＷＧ２４ｃのポートｐ１及びｐ０１を介してＷＳＳ２３ｃから同一の光ファイバ１２へ伝送される。
【００８５】
つまり、前述した第１機能としてのＣｏｌｏｒ−ｌｅｓｓ機能によって、物理配線を変更することなく、トランスポンダからの光信号を別波長で同じ方路に出力できる。
【００８６】
また、トランスポンダ２５ａからの光信号の波長λ１を波長λｘに変えた際に、波長変更制御によってＷＳＳ２３ｂを波長λｘの伝送状態に変更すれば、変更後の波長λｘの光信号は、ｃＡＷＧ２４ｃのポートｐ１及びｐ０５を介してＷＳＳ２３ｂから光ファイバ１３へ、矢印Ｙ２方向へ伝送される。
【００８７】
但し、図９の構成におけるトランスポンダ波長λ１は、図４を参照するように、ｃＡＷＧ波長λａ１の帯域幅を通過してｃＡＷＧ２４ｃのポートｐ１及びｐ０１を介してＷＳＳ２３ｃへ送信され、トランスポンダ波長λｘは、ｃＡＷＧ波長λａ２の帯域幅を通過してｃＡＷＧ２４ｃのポートｐ１及びｐ０５を介してＷＳＳ２３ｂへ送信されるものとする。
【００８８】
つまり、前述した第２機能としてのＤｉｒｅｃｔｉｏｎ−ｌｅｓｓ機能によって、物理配線を変更することなく、トランスポンダからの光信号を任意の方路、即ち別方路でも出力できる。
【００８９】
また、一方のトランスポンダ２５ａから波長λ１の光信号を、矢印Ｙ１ａで示すようにｃＡＷＧ２４ｃのポートｐ１，ｐ０１を経由してＷＳＳ２３ｃへ送信されるように出力する。他方のトランスポンダ２５ｂから同じ波長λ１の光信号を、矢印Ｙ１ｂで示すようにｃＡＷＧ２４ｃのポートｐ２，ｐ０５を経由してＷＳＳ２３ｂへ送信されるように出力する。この場合、同じ波長λ１の光信号が、ｃＡＷＧ２４ｃの異なるポートを介して別の伝送路である光ファイバ１２，１３へ伝送されるので、衝突することは無い。
【００９０】
つまり、前述した第３機能としてのＣｏｎｔｅｎｔｉｏｎ−ｌｅｓｓ機能によって、物理配線を変更することなく、既設パスと別方路宛であれば、異なるトランスポンダから同じ波長で出力できる。
【００９１】
＜光ＳＷ部及びＡｄｄ／Ｄｒｏｐ部の他の具体構成例＞
図１０は、本実施形態の光伝送システム１０における光ＳＷ部２３Ａ及びＡｄｄ／Ｄｒｏｐ部２４Ａの他の具体的な構成を示すブロック図である。
【００９２】
図１０に示す光ＳＷ部２３Ａが、上述した光ＳＷ部２３（図９）と異なる点は、光カプラ２３ａ，２３ｄのみを備えることにある。また、Ａｄｄ／Ｄｒｏｐ部２４Ａが、上述したＡｄｄ／Ｄｒｏｐ部２４（図９）と異なる点は、ｃＡＷＧ２４ｃ，２４ｅ及びｃＡＷＧ２４ｄ，２４ｆに加え、光カプラ２３ｈ，２３ｉ，２３ｊ，２３ｋを備えたことにある。ｃＡＷＧ２４ｃ，２４ｅと、このポートｐ０１，ｐ０２に接続された光カプラ２４ｈ〜２４ｋを併合してＡｄｄ機能が構成される。また、ｃＡＷＧ２４ｄ，２４ｆと、このポートｐ０１，ｐ０２に接続された光カプラ２４ｉ，２４ｊを併合してＤｒｏｐ機能が構成される。以降、Ａｄｄ機能に係るＡＷＧ２４ｃ，２４ｅと、Ｄｒｏｐ機能に係るＡＷＧ２４ｄ，２４ｆとも表現する。
【００９３】
光ＳＷ部２３Ａ内の光ファイバ１３に接続された光カプラ２３ａは、Ａｄｄ／Ｄｒｏｐ部２４Ａ内の光カプラ２３ｈ，２３ｉに接続されている。光ファイバ１２に接続された光カプラ２３ｄは、光カプラ２３ｊ，２３ｋに接続されている。また、光カプラ２３ｈは、ｃＡＷＧ２４ｃ及び２４ｅの第２側ポートｐ０１に接続されている。光カプラ２３ｉは、ｃＡＷＧ２４ｄ及び２４ｆの第２側ポートｐ０１に接続されている。光カプラ２３ｊは、ｃＡＷＧ２４ｄ及び２４ｆの第２側ポートｐ０２に接続されている。光カプラ２３ｋは、ｃＡＷＧ２４ｃ及び２４ｅの第２側ポートｐ０２に接続されている。
【００９４】
このような構成において、監視制御装置１５の遠隔制御によりトランスポンダ２５ａ〜２５ｄの波長変更制御が行われるとする。但し、本説明は現用系に対して行う。
【００９５】
即ち、トランスポンダ２５ａから矢印Ｙ１ａで示す方向に例えば波長λ１の光信号が出力されたとする。この波長λ１の光信号は、Ａｄｄ機能に係るｃＡＷＧ２４ｃのポートｐ１へ入力され、ポートｐ０１から光カプラ２４ｈ及び光カプラ２３ａを介して光ファイバ１３の矢印Ｙ２方向へ出力される。
【００９６】
光ファイバ１３側の光カプラ２３ａには、光ファイバ１３で伝送されて来た例えば波長λ３の光信号が入力される。この光信号は、光カプラ２３ａで分岐され、光カプラ２４ｉを介してＤｒｏｐ機能に係るｃＡＷＧ２４ｄのポートｐ０１から入力され、更にポートｐ１から矢印Ｙ１ｃで示すように、トランスポンダ２５ａに入力される。一方、波長λ３の光信号がｃＡＷＧ２４ｄのポートｐ２から出力された場合、矢印Ｙ１ｄで示すように、トランスポンダ２５ｂに入力される。
【００９７】
次に、トランスポンダ２５ｂから矢印Ｙ１ｂで示す方向に例えば波長λ１の光信号が出力されたとする。この波長λ１の光信号は、Ａｄｄ機能に係るｃＡＷＧ２４ｃのポートｐ２へ入力され、ポートｐ０２から光カプラ２４ｋ及び光カプラ２３ｄを介して光ファイバ１２の矢印Ｙ１方向へ出力される。
【００９８】
光ファイバ１２側の光カプラ２３ｄには、光ファイバ１２で伝送されて来た例えば波長λ３の光信号が入力される。この光信号は、光カプラ２３ｄで分岐され、光カプラ２４ｊを介してｃＡＷＧ２４ｄのポートｐ０２から入力され、更にポートｐ１から矢印Ｙ１ｃで示すように、トランスポンダ２５ａに入力される。一方、波長λ３の光信号がｃＡＷＧ２４ｄのポートｐ２から出力された場合、矢印Ｙ１ｄで示すように、トランスポンダ２５ｂに入力される。
【００９９】
このような光信号の伝送において、監視制御装置１５からの波長変更制御指示に応じて監視制御部２１が、ノード１１ａ〜１１ｄに対して次のように波長変更制御を行う。例えば、トランスポンダ２５ａから矢印Ｙ１ａで示すように、ｃＡＷＧ２４ｃのポートｐ１，ｐ０１を経由して光カプラ２４ｈ，２３ａへ波長λ１の光信号が送信されているとする。この場合に、トランスポンダ２５ａで光信号の波長λ１を波長λ４に変えても、ｃＡＷＧ２４ｃの透過特性によって、波長変更後の波長λ４の光信号を、変更前の波長λ１の光信号と同一方路（矢印Ｙ２）へ伝送できる。
【０１００】
ここで、ｃＡＷＧ２４ｃでは、各ポートｐ１〜ｐ８の透過帯域の帯域幅に、前述したように任意の例えば波長λ１〜λ２９（図４参照）のトランスポンダ信号を通過可能とできる。このため、上述したようにトランスポンダ２５ａからの光信号の波長λ１を波長λ４に変更しても、変更後の波長λ４の光信号は、変更前の波長λ１と同様に、ｃＡＷＧ２４ｃのポートｐ１及びｐ０１を経由し、光カプラ２４ｈ，２３ａを介して同一の光ファイバ１３へ伝送される。
【０１０１】
つまり、前述した第１機能としてのＣｏｌｏｒ−ｌｅｓｓ機能によって、物理配線を変更することなく、トランスポンダからの光信号を別波長で同じ方路に出力できる。
【０１０２】
また、トランスポンダ２５ａからの光信号の波長λ１を波長λｘに変えた際に、ｃＡＷＧ２４ｃがポートｐ１から波長λｘを入力した場合に、ポートｐ０２から出力されるという特性を有していれば、変更後の波長λｘの光信号は、ｃＡＷＧ２４ｃのポートｐ１及びｐ０２を介して光カプラ２４ｋ，２３ｄを介して光ファイバ１２へ、矢印Ｙ１方向へ伝送される。
【０１０３】
つまり、前述した第２機能としてのＤｉｒｅｃｔｉｏｎ−ｌｅｓｓ機能によって、物理配線を変更することなく、トランスポンダからの光信号を任意の方路、即ち別方路でも出力できる。
【０１０４】
また、一方のトランスポンダ２５ａから波長λ１の光信号を、矢印Ｙ１ａで示すようにｃＡＷＧ２４ｃのポートｐ１，ｐ０１を経由して光カプラ２４ｈ，２３ａへ送信されるように出力する。他方のトランスポンダ２５ｂから同じ波長λ１の光信号を、矢印Ｙ１ｂで示すようにｃＡＷＧ２４ｃのポートｐ２，ｐ０２を経由して光カプラ２４ｋ，２３ｄへ送信されるように出力する。この場合、同じ波長λ１の光信号が、ｃＡＷＧ２４ｃの異なるポートｐ０１，ｐ０２を介して別の伝送路である光ファイバ１２，１３へ伝送されるので、衝突することは無い。
【０１０５】
つまり、前述した第３機能としてのＣｏｎｔｅｎｔｉｏｎ−ｌｅｓｓ機能によって、物理配線を変更することなく、既設パスと別方路宛であれば、異なるトランスポンダから同じ波長で出力できる。
【０１０６】
＜実施形態の効果＞
本実施形態に係るノード１１ａ〜１１ｄとしての光分岐挿入装置の効果について説明する。光分岐挿入装置は、通信ネットワークを構成する光伝送路に波長分割多重通信により伝送される光信号を、通信端末機３１ａ〜３１ｎと接続されたトランスポンダ２５ａ〜２５ｎとの間で分岐又は挿入するものである。
【０１０７】
（１）光分岐挿入装置は、トランスポンダ２５ａ〜２５ｎと光伝送路間に接続される各々複数の第１側ポート及び第２側ポートを有し、第１側ポート及び第２側ポートの個々の第１チャネル間隔を、トランスポンダ２５ａ〜２５ｎのポートにおける光信号入出力の第２チャネル間隔の複数倍とし、第１チャネルに、１又は複数のトランスポンダ２５ａ〜２５ｎ又は光伝送路からの複数の異なる波長の光信号を通過可能としたｃＡＷＧ２４ａ，２４ｂを備える。
【０１０８】
そして、ｃＡＷＧ２４ａ，２４ｂは、第１側ポートの第１チャネルにトランスポンダ２５ａ〜２５ｎからの光信号を通過させ、この通過する光信号を、複数の第２側ポートを当該第１側ポート並びに当該トランスポンダの出力光信号の波長に応じて決まる巡回関係で出力して光伝送路へ伝送し、当該光伝送路を伝送する光信号を第２側ポートの第１チャネルに通過させ、この通過する光信号を複数の第１側ポートを当該第１側ポート並びに当該トランスポンダの出力光信号の波長に応じて決まる巡回関係でトランスポンダ２５ａ〜２５ｎへ出力する構成とした。
【０１０９】
この構成によれば、ｃＡＷＧの第１側ポート及び第２側ポートのチャネルに、１又は複数の異波長のトランスポンダ信号を通過できる。このため、トランスポンダ２５ａ〜２５ｎからのトランスポンダ信号の波長（例えば波長λ１）を他の波長λ４に変更しても、変更後の波長λ４のトランスポンダ信号は、変更前の波長λ１と同様に、ｃＡＷＧ２４ａ，２４ｂの第１側ポート及び第２側ポートを介して同一方路の光伝送路へ伝送できる。つまり、光分岐挿入装置とトランスポンダ２５ａ〜２５ｎ装置間の物理配線を変更することなく、トランスポンダ２５ａ〜２５ｎからの光信号であるトランスポンダ信号を任意の波長で同じ方路に出力できる。このため、本発明の光分岐挿入装置は、マルチキャストスイッチや光損失を補償するアンプを用いないので、装置コストや消費電力を低減できる。
【０１１０】
（２）光伝送路が別経路の光伝送路を構成する際に、当該別経路の光伝送路とｃＡＷＧ２４ａ，２４ｂとの間に、光信号を伝送又は遮断する状態となる光ＳＷ部２３を備える。光ＳＷ部２３は、トランスポンダ２５ａ〜２５ｎでトランスポンダ信号の波長が別の波長に変更された際に、この変更されたトランスポンダ信号を含む光信号を別経路の光伝送路の双方又は何れか一方へ伝送する構成とした。
【０１１１】
この構成によれば、光分岐挿入装置とトランスポンダ２５ａ〜２５ｎ装置間の物理配線を変更することなく、トランスポンダ２５ａ〜２５ｎからの光信号を任意の方路、即ち別方路でも出力できる。
【０１１２】
（３）ｃＡＷＧ２４ａ，２４ｂ及びトランスポンダ２５ａ〜２５ｎが各々複数存在する場合に、光ＳＷ部２３は、異なるトランスポンダ２５ａ〜２５ｎから送信され、異なるｃＡＷＧ２４ａ，２４ｂの第１チャネルを通過した同波長のトランスポンダ信号を、別の光伝送路へ伝送する構成とした。
【０１１３】
この構成によれば、光分岐挿入装置とトランスポンダ２５ａ〜２５ｎ装置間の物理配線を変更することなく、既設パスと別方路宛であれば、異なるトランスポンダ２５ａ〜２５ｎから同じ波長で出力できる。
【０１１４】
＜ｃＡＷＧの第１のポート数拡張構成＞
図１１は光伝送システムのＡｄｄ／Ｄｒｏｐ部におけるｃＡＷＧや光カプラ等を含むＡｄｄ部／Ｄｒｏｐ部の第１のポート数拡張構成を示すブロック図である。
【０１１５】
図１１に示すＡｄｄ／Ｄｒｏｐ部２４Ｂの構成が、Ａｄｄ／Ｄｒｏｐ部２４（図９）と異なる点は、ｃＡＷＧ２４ｃの第１側ポートｐ１とトランスポンダ２５ａとの間に、１×２（又は１×Ｎ）の光カプラ２４ｍを接続し、ｃＡＷＧ２４ｄの第１側ポートｐ１とトランスポンダ２５ｂとの間に、１×２の光カプラ２４ｎを接続した（拡張案１）。更に、ｃＡＷＧ２４ｅの第１側ポートｐ２とトランスポンダ２５ｃとの間に、光アンプ２４ｏを介して１×Ｎの光カプラ２４ｑを接続し、ｃＡＷＧ２４ｆの第１側ポートｐ２とトランスポンダ２５ｒとの間に、光アンプ２４ｐを介して１×Ｎの光カプラ２４ｒを接続して構成した（拡張案２）ことにある。図１１のＡｄｄ／Ｄｒｏｐ部２４Ｂの構成において、拡張案１のみが搭載された構成又は、拡張案２のみが搭載された構成であってもよい。
【０１１６】
ここで、ｃＡＷＧ２４ｃ，２４ｅと、このポートｐ１，ｐ２に接続された光カプラ２４ｍ，２４ｑとを併合してＡｄｄ（挿入）機能（Ａｄｄ部）が構成される。また、ｃＡＷＧ２４ｄ，２４ｆと、このポートｐ１，ｐ２に接続された光カプラ２４ｎ，２４ｒとを併合してＤｒｏｐ（分岐）機能（Ｄｒｏｐ部）が構成される。
【０１１７】
図９に示すトランスポンダ２５ａ〜２５ｄの接続可能数は、ｃＡＷＧ２４ｃ，２４ｅ及びｃＡＷＧ２４ｄ，２４ｆとしてのｃＡＷＧのポート数に依存した数となる。このため、Ａｄｄ／Ｄｒｏｐ部２４Ｂに接続可能なトランスポンダ数に制限が生じる。
【０１１８】
そこで、本実施形態では、上述したように、ｃＡＷＧ２４ｃ，２４ｅ及びｃＡＷＧ２４ｄ，２４ｆの１ポートｐ１又はｐ２と、トランスポンダ２５ａ〜２５ｄとの間に、１×Ｎの光カプラ２４ｍ〜２４ｒを接続した。この接続によって例えば光カプラ２４ｍ〜２４ｒが１×２ポートであれば、ｃＡＷＧ２４ｃ，２４ｅ及びｃＡＷＧ２４ｄ，２４ｆの１ポートｐ１又はｐ２に、２つのトランスポンダ２５ａ〜２５ｄを接続できる。
【０１１９】
このため、拡張案１では、図９に示すｃＡＷＧ２４ｃ，２４ｅ及びｃＡＷＧ２４ｄ，２４ｆへの接続構成よりも、２倍のトランスポンダを接続できる。
【０１２０】
但し、拡張案２では、ｃＡＷＧ２４ｅ及びｃＡＷＧ２４ｆのポートｐ２に２つの１×Ｎの光カプラ２４ｑ，２４ｒを接続したので、１×Ｎの光カプラ２４ｑ，２４ｒで合波される光信号は、ｃＡＷＧ２４ｅ，２４ｆ（ＡＷＧ）を通過する。この際、ｃＡＷＧ２４ｅ，２４ｆ（ＡＷＧ）のポートｐ１〜ｐ８に対応したもののみ通過する。
【０１２１】
従って、拡張案２では、実効的には、「ＡＷＧのチャネル間隔÷トランスポンダの出力光信号のチャネル間隔−１」だけの波長数Ｗｘを、ポートｐ１〜ｐ８に入力可能となる。実質的な接続可能なトランスポンダ数の上限値は、「波長数Ｗｘ×ＡＷＧのポート数」となる。この際、光カプラ２４ｑ，２４ｒによるＮ分岐で信号ロスが大きくなる。言い換えれば、光信号が所定値以下に減衰する。しかし、ｃＡＷＧ２４ｅ及びｃＡＷＧ２４ｆのポートｐ２と、２つの１×Ｎの光カプラ２４ｑ，２４ｒとの各々の間に、アンプ２４ｏ，２４ｐを接続して信号増幅を行い信号ロスを解消している。
【０１２２】
このようなＡｄｄ／Ｄｒｏｐ部２４Ｂの拡張構成によれば、１×Ｎの光カプラを介して、ｃＡＷＧであるｃＡＷＧ２４ｃ，２４ｅ及びｃＡＷＧ２４ｄ，２４ｆに接続可能なトランスポンダ数を増加できる。
【０１２３】
＜ｃＡＷＧの第２のポート数拡張構成＞
図１２は光伝送システムのＡｄｄ／Ｄｒｏｐ部におけるｃＡＷＧを含むＡｄｄ部及びＤｒｏｐ部の第２のポート数拡張構成を示すブロック図である。
【０１２４】
図１２に示すＡｄｄ／Ｄｒｏｐ部２４Ｃの構成が、図９に示したＡｄｄ／Ｄｒｏｐ部２４と異なる点は、光ファイバ１２，１３双方に介挿されたＷＳＳ２３ｃ，２３ｂに、既存接続のｃＡＷＧ２４ｃに加えて、ｃＡＷＧ２４ｃ１をパラレルに接続したことにある。但し、ｃＡＷＧ２４ｃ，２４ｅ及びｃＡＷＧ２４ｄ，２４ｆと、ｃＡＷＧ２４ｃ１との第２側ポートは、ｐ０１，ｐ０２と、ｐ０３，ｐ０４の４ポートであるとする。
【０１２５】
上記パラレル接続の際に、当該接続対象のｃＡＷＧ２４ｃ１のポート透過波長（対象波長λｊとする）を、既存接続のｃＡＷＧ２４ｃのポート透過波長（基準波長λｋとする）に対して、図１３に示すような複数の関係とする。
【０１２６】
第１の関係は、図１３に符号０で示す基準波長λｋの中心周波数ｆｋに対して、符号１で示す対象波長λｊ１の中心周波数ｆｊ１を合わせる関係とする。
【０１２７】
第２の関係は、基準波長λｋの中心周波数ｆｋに対して、符号２で示す対象波長λｊ２の中心周波数ｆｊ２を、波長の半分ずらす関係とする。
【０１２８】
第３の関係は、基準波長λｋの中心周波数ｆｋに対して、符号３で示す対象波長λｊ３の中心周波数ｆｊ３を、波長１つ分ずらす関係とする。
【０１２９】
この他、対象波長λｊに、第２の関係と第３の関係との双方の特性を持たせてもよい。
【０１３０】
このように、ＷＳＳ２３，２３ｂの既存接続の１×ＮのｃＡＷＧ２４ｃに加えて、１×ＮのｃＡＷＧ２４ｃ１をパラレルに新規接続すれば、新規接続されたｃＡＷＧ２４ｃ１のＮ個のポート分のトランスポンダを増やして接続できる。つまり、ｃＡＷＧの第２のポート数拡張構成によれば、ＷＳＳにパラレルにｃＡＷＧを新規接続するので、Ａｄｄ／Ｄｒｏｐ部２４Ｃに接続可能なトランスポンダ数を増加できる。
【０１３１】
＜シングルキャリア光パスとマルチキャリア光パスの混在構成＞
図１４は光伝送システムにおけるシングルキャリア光パスとマルチキャリア光パスの混在構成を示すブロック図である。
【０１３２】
図１４に示すＡｄｄ／Ｄｒｏｐ部２４Ｄの混在構成は、図９に示したＡｄｄ／Ｄｒｏｐ部２４の構成要素に、次の構成要素を加えて構成してある。即ち、図１４のＡｄｄ／Ｄｒｏｐ部２４Ｄに示すように、ｃＡＷＧ２４ｃ及びｃＡＷＧ２４ｄの第１側ポートｐ１に、１×２の光カプラ２４ｓ，２４ｔを追加接続（第１追加構成）する。ｃＡＷＧ２４ｅ及びｃＡＷＧ２４ｆの第１側ポートｐ１に、光アンプ２４ｏ，２４ｐを介して１×４の光カプラ２４ｑ，２４ｒを追加接続（第２追加構成）して構成した。
【０１３３】
但し、ｃＡＷＧ２４ｃ，２４ｅと、このポートｐ１に接続された光カプラ２４ｓ，２４ｔを併合してＡｄｄ機能が構成される。ＡＷＧ２４ｄ，２４ｆと、このポートｐ１に接続された光カプラ２４ｑ，２４ｒを併合してＤｒｏｐ機能が構成される。
【０１３４】
更に、上記接続した１×２の光カプラ２４ｓ，２４ｔに、２ポートずつの送信ポートｐ１１，ｐ１２と受信ポートｐ１３，ｐ１４を有するマルチキャリア光パス用のトランスポンダ２５ｆを接続した。更には、上記接続した１×４の光カプラ２４ｑ，２４ｒに、４ポートずつの送信ポートｐ２１，ｐ２２，ｐ２３，ｐ２４と受信ポートｐ２５，ｐ２６，ｐ２７，ｐ２８を有するマルチキャリア光パス用のトランスポンダ２５ｇを接続した。また、ｃＡＷＧ２４ｃ，２４ｅ及びｃＡＷＧ２４ｄ，２４ｆの第１側ポートｐ１〜ｐ８の内の１つのポート（例えばポートｐ２）に、シングルキャリア光パス用のトランスポンダ２５ｈを接続した。
【０１３５】
マルチキャリア光パス用のトランスポンダ２５ｆの２つの送信ポートｐ１１，ｐ１２からは、図１５に示す波長λ１の光信号と波長λ２の光信号とが重畳されたマルチキャリア光信号Ｍ１が送信される。この送信されたマルチキャリア光信号Ｍ１は、光カプラ２４ｓ及び光カプラ２４ｈを介してＡｄｄ機能に係るｃＡＷＧ２４ｃのポートｐ１に入力される。この入力後、ｃＡＷＧ２４ｃのポートｐ０１から出力され、ＷＳＳ２３ｃを介して光ファイバ１２に矢印Ｙ１方向へ伝送される。
【０１３６】
一方、光ファイバ１３側の光カプラ２３ａで分岐されたマルチキャリア光信号（図１５のマルチキャリア光信号Ｍ１参照）は、Ｄｒｏｐ機能に係るｃＡＷＧ２４ｄのポートｐ０１に入力され、ポートｐ１から光カプラ２４ｔを介してトランスポンダ２５ｆの受信ポートｐ１３，ｐ１４に入力される。
【０１３７】
また、シングルキャリア光パス用のトランスポンダ２５ｈの送信ポートからは、図示せぬ例えば波長λ３のシングルキャリア光信号が送信されて、ｃＡＷＧ２４ｃのマルチキャリア光パス以外のポート（例えばポートｐ２）に入力される。一方、光ファイバ１３側の光カプラ２３ａで分岐されたシングルキャリア光信号は、ｃＡＷＧ２４ｄのポートｐ０２，ｐ２を介してトランスポンダ２５ｈの受信ポートに入力される。
【０１３８】
この他、トランスポンダ２５ｆの２つの送信ポートｐ１１，ｐ１２から、図示せぬ波長λ４１と波長λ４２の２つの光信号が重畳されたマルチキャリア光信号Ｍ２（図１５のマルチキャリア光信号Ｍ１参照）を送信することも可能である。この場合、送信されたマルチキャリア光信号Ｍ２を、光カプラ２４ｓを経由後、ｃＡＷＧ２４ｃのポートｐ１からポートｐ０５を経由し、ＷＳＳ２３ｂを介して光ファイバ１３の矢印Ｙ２方向へ伝送できる。
【０１３９】
このようにシングルキャリア光パスとマルチキャリア光パスを混在させることができる。
【０１４０】
次に、もう一方のマルチキャリア光パス用のトランスポンダ２５ｇにおける４つの送信ポートｐ２１〜ｐ２４からは、４つの波長λ１〜λ４（図示せず）の各光信号を重畳したマルチキャリア光信号Ｍ３を送信できる。この送信されたマルチキャリア光信号Ｍ３は、光カプラ２４ｑを介してＡｄｄ機能に係るｃＡＷＧ２４ｅのポートｐ１に入力される。この入力後、ｃＡＷＧ２４ｅの例えばポートｐ０５から出力され、ＷＳＳ２３ｂを介して光ファイバ１３に矢印Ｙ２方向へ伝送される。
【０１４１】
このように、４波長λ１〜λ４の各光信号を重畳したマルチキャリア光信号Ｍ３を送信すれば、同一ｃＡＷＧ（ｃＡＷＧ２４ｅ参照）のポートに波長数の多い信号（マルチキャリア光信号Ｍ３参照）を入力できるので、１方路で大容量データ伝送が可能となる。
【０１４２】
また、トランスポンダ２５ｇの４つの送信ポートｐ２１〜ｐ２４の内、２ポートｐ２１，Ｐ２２から２波長λ１，λ２（図示せず）の各光信号を重畳したマルチキャリア光信号Ｍ４を送信し、他の２ポートｐ２３，Ｐ２４から２波長λ４１，λ４２（図示せず）の各光信号を重畳したマルチキャリア光信号Ｍ５を送信するようにしてもよい。
【０１４３】
この場合、光カプラ２４ｑを経由後、マルチキャリア光信号Ｍ４，Ｍ５がｃＡＷＧ２４ｅのポートｐ１に入力される。この入力されたマルチキャリア光信号Ｍ４は、ＷＳＳ２３ｂを介して光ファイバ１３に矢印Ｙ２方向へ伝送される。一方、入力されたマルチキャリア光信号Ｍ５は、ＷＳＳ２３ｃを介して光ファイバ１２に矢印Ｙ１方向へ伝送される。
【０１４４】
このように、１つのマルチキャリア光信号Ｍ４又はＭ５に重畳される光信号数を減らして異なる光ファイバ１２，１３で相反方向へ伝送するようにした場合、両系でのデータ伝送が可能となる。
【０１４５】
＜ガード機能及び監視機能の構成＞
図１６は本実施形態の光伝送システムにおけるガード機能及び監視機能の構成を示すブロック図である。但し、図１６に示す構成において、図１０に示した構成には同一符号を付し、その説明を省略する。
【０１４６】
図１６に示す構成は、光ＳＷ部２３Ｂの光ファイバ１３側の光カプラ２３ａの入力側に光アンプ２３ｆを接続すると共に、出力側に光アンプ２３ｇを接続し、光ファイバ１２側の光カプラ２３ｄの入力側に光アンプ２３ｉを接続すると共に、出力側に光アンプ２３ｈを接続してある。
【０１４７】
ここで、光ファイバ１２，１３による双方向にパスが張られている場合、矢印Ｙ１で示す一方から他方へ向かう右回りのパスと、矢印Ｙ２で示す他方から一方へ向かう左回りのパスとがある。各パスには、光カプラ２３ａ，２３ｄ及びｃＡＷＧ２４Ａを介してトランスポンダ２５ａが接続されている。このトランスポンダ２５ａと光ファイバ１２，１３を介して通信を行う図示せぬ対向側トランスポンダも接続されている。
【０１４８】
この構成の場合に、例えば、何らかの理由によってトランスポンダ２５ａの出力波長が変化した場合に、意図していない方路に光信号が出力され、他の光信号の衝突やクロストークによるペナルティを引き起こす可能性がある。例えば、トランスポンダ２５ａが波長λ１から波長λ２に変更した際に、何らかの理由によって、別の波長λ４に変更されてしまった場合に、上記ペナルティが生じる可能性がある。
【０１４９】
そこで、監視制御部２１が、光ファイバ１２，１３に介挿された光カプラ２３ａ，２３ｄの入出力側に接続されている光アンプ２３ｆ〜２３ｉの入力パワーと、入力波長数とを監視する。監視制御部２１は、その監視する入力パワー又は入力波長数が、監視制御装置１５から指示されるパス生成制御のパス設定情報に含まれる入力パワー又は入力波長数と、所定値以上乖離する場合に、トランスポンダ２５ａの出力を停止する。この際、トランスポンダ２５ａの対向側トランスポンダの出力も必要に応じて停止する。これによって、上述したトランスポンダ２５ａの出力波長が意図せぬ変化を行った際に、異なる方路に光信号が出力され、他の光信号の衝突やクロストークによるペナルティを引き起こすことを防止できる。
【０１５０】
また、トランスポンダ２５ａの受信部が、受光パワーが基準値と異なった際に、この誤り情報を監視制御部２１に通知して、監視制御部２１がトランスポンダ２５ａ及び対向側トランスポンダの出力を停止するようにしてもよい。
【０１５１】
その他、具体的な構成について、本発明の主旨を逸脱しない範囲で適宜変更が可能である。
【符号の説明】
【０１５２】
１０  光伝送システム
１１ａ，１１ｂ，１１ｃ，１１ｄ  ノード（光分岐挿入装置）
１２，１３  光ファイバ
１５  監視制御装置
１５ａ  ＮＢＩ
１５ｂ  ＳＢＩ
１５ｃ  パス計算部
１５ｄ  ＤＢ
１６  上位装置
２１  監視制御部
２３ｆ〜２３ｉ，２４ｏ，２４ｐ  光アンプ
２３  光ＳＷ部
２４  Ａｄｄ／Ｄｒｏｐ部
２４ａ，２４ｂ  ｃＡＷＧ
２４ｃ，２４ｅ  ｃＡＷＧ
２４ｄ，２４ｆ  ｃＡＷＧ
２３ａ，２３ｄ，２４ｈ〜２４ｋ，２４ｍ，２４ｎ，２４ｑ，２４ｒ  光カプラ
２５ａ，２５ｂ，…，２５ｎ  トランスポンダ
３１ａ，３１ｂ，…，３１ｎ  通信端末機
【図１】
2020161913.tif 000003
【図２】
2020161913.tif 000004
【図３】
2020161913.tif 000005
【図４】
2020161913.tif 000006
【図５】
2020161913.tif 000007
【図６】
2020161913.tif 000008
【図７】
2020161913.tif 000009
【図８】
2020161913.tif 000010
【図９】
2020161913.tif 000011
【図１０】
2020161913.tif 000012
【図１１】
2020161913.tif 000013
【図１２】
2020161913.tif 000014
【図１３】
2020161913.tif 000015
【図１４】
2020161913.tif 000016
【図１５】
2020161913.tif 000017
【図１６】
2020161913.tif 000018